(57)【要約】      （修正有）【課題】サイズを簡単に識別可能な多機能ソケット及びその組合せを提供する。【解決手段】稼働部２０と、識別に供えるねじり部３０と、を含む。稼働部はソケット１０の回転軸方向に沿って多角穴を凹設し、識別に供えるねじり部はソケット回転軸方向に沿って、内側ねじり位置３１を凹設し、識別に供えるねじり部はソケット回転軸の横方向の外周縁に沿って、６つの係止平面３２１を設け、識別に供えるねじり部は六角棒状を形成し、識別に供えるねじり部は６つの係止平面のうち２つの隣接する係止平面の間に、それぞれ係止溝３３を凹設し、係止溝がソケットの円周方向に沿って延在し、識別に供えるねじり部が６つの係止平面のうち３つの互いに隣接されない係止平面に、それぞれ第１サイズ表示３４を凹設し、第１サイズ表示にて多角穴のサイズを表示し、第１サイズ表示をソケットの平面に設けられているため、第１サイズ表示は加工容易の長所を有すると共に、ソケットの第１サイズ表示の反射による識別困難を防げる。【選択図】図１
0003200007.tif 000002
【実用新案登録請求の範囲】
【請求項１】
サイズを簡単に識別可能な多機能ソケットであって、
前記ソケットの回転軸方向に沿って多角穴を凹設する稼働部と、
前記ソケットが稼働部と異なる一端に設ける識別に供えるねじり部と、を含む、前記識別に供えるねじり部は前記ソケット回転軸方向に沿って内側ねじり位置を凹設、前記識別に供えるねじり部は前記ソケット回転軸の横方向に沿って外周縁に外側ねじり位置を設け、前記外側ねじり位置に６つの係止平面を有し、前記６つの係止平面が前記ソケットの円周方向に沿って並列していて、前記回転軸を軸心として前記識別に供えるねじり部を巡らしており、前記識別に供えるねじり部が六角棒状を形成し、前記識別に供えるねじり部は前記６つの係止平面のうち３つの互いに隣接されない前記係止平面にそれぞれ第１サイズ表示を凹設し、前記第１サイズ表示は前記多角穴のサイズ表示であることを特徴とする、サイズを簡単に識別可能な多機能ソケット。
【請求項２】
前記識別に供えるねじり部は前記６つの係止平面のうち、前記第１サイズ表示を表示されない前記３つの係止平面のうち少なくともそのうち前記一つの係止平面に補助表示部を凹設し、前記補助表示部は商標または図案であることを特徴とする、請求項１記載のサイズを簡単に識別可能な多機能ソケット。
【請求項３】
そのうち、前記第１サイズ表示は数字であり、前記ソケットの円周方向に沿って横書き方式に配列し、前記補助表示部は前記回転軸方向に沿って横書き方式に配列することを特徴とする、請求項２記載のサイズを簡単に識別可能な多機能ソケット。
【請求項４】
前記識別に供えるねじり部は前記６つの係止平面のうち、前記第１サイズ表示を表示されない前記３つの係止平面のうち少なくともそのうち前記一つの係止平面に第２サイズ表示を凹設し、前記第２サイズ表示が前記第１サイズ表示に同じであることを特徴とする、請求項１記載のサイズを簡単に識別可能な多機能ソケット。
【請求項５】
そのうち、前記第１サイズ表示は数字であり、前記ソケットの円周方向に沿って横書き方式に配列し、前記識別に供えるねじり部は前記６つの係止平面のうち前記第１サイズ表示または前記第２サイズ表示を表示されない少なくともそのうち前記一つの係止平面に前記補助表示部を凹設し、前記補助表示部は商標または図案であり、前記補助表示部は回転軸方向に沿って横書き方式に配列することを特徴とする、請求項４記載のサイズを簡単に識別可能な多機能ソケット。
【請求項６】
そのうち、前記６つの係止平面のうち前記一つのみの係止平面に前記第２サイズ表示を有し、前記６つの係止平面のうち前記２つの係止平面に前記補助表示部を有することを特徴とする、請求項５記載のサイズを簡単に識別可能な多機能ソケット。
【請求項７】
そのうち、前記識別に供えるねじり部は前記６つの係止平面のうち２つの隣接する前記係止平面の間にそれぞれ係止溝を凹設し、前記係止溝は前記ソケットの円周方向に沿って延在することを特徴とする、請求項１ないし６のいずれかに記載のサイズを簡単に識別可能な多機能ソケット。
【請求項８】
そのうち、前記多角穴は６角穴状、１２角穴状または６角星型を形成し、前記係止溝はＶ形溝状を形成することを特徴とする、請求項７記載のサイズを簡単に識別可能な多機能ソケット。
【請求項９】
外側ねじり位置は、前記６つの係止平面のうち２つの隣接する係止平面の境を接する場所にコーナー部を設け、前記コーナー部は丸み状を形成し、前記係止溝を前記コーナー部に形成することを特徴とする、請求項７記載のサイズを簡単に識別可能な多機能ソケット。
【請求項１０】
そのうち、前記内側ねじり位置のうち一つの内壁面は、前記６つの係止平面のうち前記一つの係止平面と互いに平行することを特徴とする、請求項１ないし６のいずれかに記載のサイズを簡単に識別可能な多機能ソケット。
【請求項１１】
前記内側ねじり位置は四角穴状を形成し、前記内側ねじり位置の内面に少なくとも一つの取付溝を設け、前記取付溝は丸形を形成し、前記ソケットが前記ソケット引き棒につないでいるときは、前記ソケット引き棒のコネクタが前記内側ねじり位置に挿入し、前記コネクタの鋼球を前記取付溝に挿入し、前記ソケットがラチェットレンチにつないでいるとき、前記ソケットの前記識別に供えるねじり部を前記ラチェットレンチの爪車に挿入し、前記６つの係止平面と前記爪車の内面が接触し、前記係止溝は前記ラチェットレンチ内部の締め金具に係止固定を提供することを特徴とする、請求項７記載のサイズを簡単に識別可能な多機能ソケット。
【請求項１２】
サイズを簡単に識別可能な多機能ソケット組合せであって、
３つのソケットを含む、前記ソケットは、稼働部と、識別に供えるねじり部を含む、前記稼働部が前記ソケットの回転軸方向に沿って多角穴を凹設し、前記識別に供えるねじり部が前記ソケット回転軸方向に沿って内側ねじり位置を凹設し、前記識別に供えるねじり部が前記ソケット回転軸の横方向に沿って外周縁に６つの係止平面を設け、前記６つの係止平面が前記ソケットの円周方向に沿って並列していて、前記回転軸を軸心として前記識別に供えるねじり部に巡らせることによって、前記識別に供えるねじり部が六角棒状を形成し、前記識別に供えるねじり部が前記６つの係止平面のうち２つの隣接する係止平面の間にそれぞれ係止溝を凹設し、前記係止溝がＶ形溝状を形成していて、かつ前記ソケットの円周方向に沿って延在し、前記識別に供えるねじり部は前記６つの係止平面のうち３つの互いに隣接されない前記係止平面にそれぞれ第１サイズ表示を凹設し、前記第１サイズ表示にて前記多角穴のサイズを表示し、前記３つのソケットの前記第１サイズ表示にてそれぞれ異なるサイズを表示することを特徴とする、サイズを簡単に識別可能な多機能ソケット組合せ。
【請求項１３】
前記稼働部は前記ソケットの回転軸の径方向が多角穴と異なる一側に沿って、外周縁に外面を設け、前記外面は円柱状を形成し、前記３つのソケットの前記外面の外径は互いに異なっており、前記３つのソケットはそれぞれ前記６つの係止平面のうち互いに相反する前記２つの係止平面の間の距離が互いに等しいすることを特徴とする、請求項１２記載のサイズを簡単に識別可能な多機能ソケット。
【考案の詳細な説明】
【技術分野】
【０００１】
本考案は主にソケットに関し、特にサイズを簡単に識別可能な多機能ソケットに関する。
【背景技術】
【０００２】
ソケットは一種の引き棒またはラチェットレンチを取り付けて使用する駆動工具である。通常は様々なサイズを備えていて、使用者おのおのの需要に合わせて、ソケットをそれぞれのサイズに交換して使用する。さらに、使用者によるソケットサイズの識別に供えるために、業者はソケットのサイズをソケットの外面に印字または刻印されている。
【先行技術文献】
【特許文献】
【０００３】
【特許文献１】米国特許ＵＳ８０７４５３９号
【考案の概要】
【考案が解決しようとする課題】
【０００４】
さらに、米国特許ＵＳ８０７４５３９号、「Ｓｏｃｋｅｔ  ｄｅｖｉｃｅ  ｗｉｔｈ  ｉｎｄｉｃａｔｉｏｎ  ｐｏｒｔｉｏｎ」（特許文献１）によれば、ソケットであって、ソケット（ｓｏｃｋｅｔ  １０）の外面にスリーブ（ｓｌｅｅｖｅ  １２）を装着し、スリーブの外面に表示部（ｉｎｄｉｃａｔｉｏｎ  ｐｏｒｔｉｏｎ  １３）を刻印していて、表示部にソケットのサイズを表示できる。
【０００５】
しかしながら、前述構造を適用したソケットに適用したとき、表示部を常に使用者の真正面位置に向かわせることができなく、使用者がソケットのサイズを視認したいときには、ソケットを絶えずに回さなければ、表示部を見つけて読み取ることができなく、非常に不便である。
【０００６】
さらに、ソケットの外面が円弧状を形成していて、ソケットの外面にサイズを刻印することは難しく、たとえスリーブを追加設置するとしても、スリーブはリング状を形成され、リング状のスリーブの外面に表示部を刻印することは容易でない。
【０００７】
それに加えて、表示部をスリーブの円弧状外面に刻印することには反射の問題があり、使用者はソケットサイズを読み取ることが難しい。
【課題を解決するための手段】
【０００８】
本考案の主な目的は、稼働部と、識別に供えるねじり部とを含む、サイズを簡単に識別可能な多機能ソケットを提供する。稼働部はソケットの回転軸方向沿って、多角穴を凹設し、識別に供えるねじり部はソケット回転軸方向に沿って、内側ねじり位置を凹設し、内側ねじり位置に四角穴状を形成し、識別に供えるねじり部はソケット回転軸の横方向の外周縁に沿って、外側ねじり位置を凹設し、外側ねじり位置には６つの係止平面を有し、６つの係止平面がソケットの円周方向に沿って並列していて、かつ回転軸を軸心として識別に供えるねじり部を巡らすことによって、識別に供えるねじり部が六角棒状を形成し、識別に供えるねじり部は６つの係止平面のうち２つの隣接する係止平面の間にそれぞれ係止溝を凹設し、係止溝はソケットの円周方向に沿って延在し、識別に供えるねじり部は６つの係止平面のうち３つの互いに隣接されない係止平面にそれぞれ第１サイズ表示を凹設し、第１サイズ表示にて多角穴のサイズを表示し、第１サイズ表示をソケットの平面に設けることによって、第１サイズ表示は簡単に加工できる長所を有し、ソケットの第１サイズ表示の反射により識別困難を避けることができ、目を引く効果を有し、使用者は第１サイズ表示をはっきりに視認することができる。
【０００９】
識別に供えるねじり部は６つの係止平面のうち、第１サイズ表示を表示されない３つの係止平面のうち少なくともそのうち一つの係止平面に補助表示部を凹設し、補助表示部は商標または図案である。
【００１０】
識別に供えるねじり部は６つの係止平面のうち、第１サイズ表示を表示されない３つの係止平面のうち少なくともそのうち一つの係止平面に第２補助表示部を凹設し、係る第２補助表示部は商標または図案である。
【００１１】
第１サイズ表示は数字であり、ソケットの円周方向に沿って横書き方式に配列し、補助表示部を転軸の軸方向に沿って横書き方式に配列する。
【００１２】
識別に供えるねじり部は６つの係止平面のうち、第１サイズ表示を表示されない３つの係止平面のうち少なくともそのうち一つの係止平面に第２補助表示部を凹設し、係る第２補助表示部は第１サイズ表示と同じである。
【００１３】
第１サイズ表示は数字であり、ソケットの円周方向に沿って横書き方式に配列し、識別に供えるねじり部は６つの係止平面のうち第１サイズ表示または第２サイズ表示を表示されない少なくともそのうち一つの係止平面に補助表示部を凹設し、係る補助表示部は商標または図案であり、補助表示部は回転軸方向に沿って横書き方式に配列する。
【００１４】
６つの係止平面のうち、一つの係止平面のみが第２サイズ表示を有し、６つの係止平面のうち、２つの係止平面が補助表示部を有する。
【００１５】
係る多角穴は６角穴状、１２角穴状または６角星型を形成し、係る係止溝はＶ形溝状を形成する。
【００１６】
識別に供えるねじり部は６つの係止平面のうち２つの隣接する係止平面の間に、それぞれ係止溝を凹設し、係止溝はソケットの円周方向に沿って延在されている。
【００１７】
外側ねじり位置は、６つの係止平面のうち２つの隣接する係止平面の境を接する場所にコーナー部を設け、係るコーナー部が丸み状を形成し、係る係止溝をコーナー部に形成されている。
【００１８】
内側ねじり位置のうち一つの内壁面は、６つの係止平面のうち一つの係止平面と互いに平行している。
【００１９】
内側ねじり位置は四角穴状を形成し、内側ねじり位置の内面に少なくとも一つの取付溝を設け、取付溝は丸形を形成し、ソケットがソケット引き棒をつないでいるときは、ソケット引き棒のコネクタが内側ねじり位置に挿入し、コネクタの鋼球を取付溝に挿入する。ソケットをラチェットレンチにつないでいるときは、ソケットの識別に供えるねじり部をラチェットレンチの爪車に挿入し、６つの係止平面と爪車の内面が接触する。係止溝はラチェットレンチ内部の締め金具に係止固定を提供される。
【００２０】
本考案もう一つの目的は、３つのソケットを含むサイズを簡単に識別可能な多機能ソケット組合せを提供する。ソケットは稼働部と、識別に供えるねじり部と、を含む。稼働部はソケットの回転軸方向沿って、多角穴を凹設し、識別に供えるねじり部はソケット回転軸方向に沿って、内側ねじり位置を凹設し、内側ねじり位置は四角穴状を形成し、識別に供えるねじり部はソケット回転軸の横方向の外周縁に沿って外側ねじり位置を凹設し、外側ねじり位置は６つの係止平面を有し、６つの係止平面がソケットの円周方向に沿って並列していて、かつ回転軸を軸心として識別に供えるねじり部を巡らすことによって、識別に供えるねじり部が六角棒状を形成し、識別に供えるねじり部は６つの係止平面のうち２つの隣接する係止平面の間にそれぞれ係止溝を凹設し、係止溝がＶ形溝を形成していて、かつソケットの円周方向に沿って延在し、識別に供えるねじり部は６つの係止平面のうち３つの互いに隣接されない係止平面にそれぞれ第１サイズ表示を凹設し、第１サイズ表示にて多角穴のサイズを表示し、３つのソケットの第１サイズ表示にてそれぞれ異なるサイズを表示し、第１サイズ表示をソケットの平面に設けることにより、第１サイズ表示は簡単に加工できる長所を有し、ソケットの第１サイズ表示が反射により識別しにくいことを避けられ、目を引く効果を有し、使用者によって第１サイズ表示をはっきりに視認することができる。
【００２１】
稼働部はソケットの回転軸の径方向が多角穴と異なる一側に沿って、外周縁に外面を設け、係る外面が円柱状を形成し、３つのソケットの外面の外径が互いに異なっており、３つのソケットはそれぞれ６つの係止平面のうち互いに相反する２つの係止平面の間の距離が互いに等しい。
【考案の効果】
【００２２】
以下の説明から、本考案は以下の長所をまとめることができる。
【００２３】
イ、  本考案のサイズを簡単に識別可能な多機能ソケットは、稼働部と、識別に供えるねじり部と、を含む。稼働部はソケットの回転軸方向沿って、多角穴を凹設し、識別に供えるねじり部はソケット回転軸方向に沿って、内側ねじり位置を凹設し、内側ねじり位置に四角穴状を形成し、識別に供えるねじり部はソケット回転軸の横方向の外周縁に沿って外側ねじり位置を凹設し、外側ねじり位置に６つの係止平面を有し、６つの係止平面がソケットの円周方向に沿って並列していて、かつ回転軸を軸心として識別に供えるねじり部を巡らすことによって、識別に供えるねじり部が六角棒状を形成し、識別に供えるねじり部は６つの係止平面のうち２つの隣接する係止平面の間にそれぞれ係止溝を凹設し、係止溝はソケットの円周方向に沿って延在し、識別に供えるねじり部は６つの係止平面のうち３つの互いに隣接されない係止平面にそれぞれ第１サイズ表示を凹設し、第１サイズ表示にて多角穴のサイズを表示し、第１サイズ表示をソケットの平面に設けることによって、第１サイズ表示が簡単に加工できる長所を有し、ソケットの第１サイズ表示が反射により識別しにくいことを避けられ、目を引く効果を有し、使用者によって第１サイズ表示をはっきりに視認することができる。
【００２４】
ロ、  本考案のサイズを簡単に識別可能な多機能ソケット組合せは、３つのソケットを含む。ソケットは稼働部と、識別に供えるねじり部と、を含む。稼働部はソケットの回転軸方向沿って、多角穴を凹設し、識別に供えるねじり部はソケット回転軸方向に沿って、内側ねじり位置を凹設し、内側ねじり位置は四角穴状を形成し、識別に供えるねじり部はソケット回転軸の横方向の外周縁に沿って外側ねじり位置を凹設し、外側ねじり位置は６つの係止平面を有し、６つの係止平面がソケットの円周方向に沿って並列していて、かつ回転軸を軸心として識別に供えるねじり部を巡らすことによって、識別に供えるねじり部が六角棒状を形成し、識別に供えるねじり部は６つの係止平面のうち２つの隣接する係止平面の間にそれぞれ係止溝を凹設し、係止溝にＶ形溝を形成していて、かつソケットの円周方向に沿って延在し、識別に供えるねじり部は６つの係止平面のうち３つの互いに隣接されない係止平面にそれぞれ第１サイズ表示を凹設し、第１サイズ表示にて多角穴のサイズを表示し、３つのソケットの第１サイズ表示がそれぞれ異なるサイズを表示し、第１サイズ表示をソケットの平面に設けることによって、第１サイズ表示が簡単に加工できる長所を有し、ソケットの第１サイズ表示の反射により識別しにくいことを避けられ、目を引く効果を有し、使用者によって第１サイズ表示をはっきりに視認することができる。
【図面の簡単な説明】
【００２５】
【図１】本考案のサイズを簡単に識別可能な多機能ソケットの第１実施例による立体外観図である。
【図２】本考案のサイズを簡単に識別可能な多機能ソケットの第１実施例におけるもう一つの視角の立体外観図である。
【図３】本考案のサイズを簡単に識別可能な多機能ソケットの第１実施例による前面図である。
【図４】本考案のサイズを簡単に識別可能な多機能ソケットの第１実施例による右側面図である。
【図５】本考案の図３の５−５の線から取った断面構造図である。
【図６】本考案の図３の６−６の線から取った断面構造図である。
【図７】本考案のサイズを簡単に識別可能な多機能ソケットの第１実施例において、ソケットを引き棒につないで使用の態様図である。
【図８】本考案のサイズを簡単に識別可能な多機能ソケットの第１実施例におおいて、ソケットをラチェットにつないで使用の態様図である。
【図９】本考案のサイズを簡単に識別可能な多機能ソケットの第２実施例による前面図である。
【図１０】本考案のサイズを簡単に識別可能な多機能ソケットの第２実施例による背面図である。
【図１１】本考案のサイズを簡単に識別可能な多機能ソケット組合せによる立体外観図である。
【考案を実施するための形態】
【実施例１】
【００２６】
図１と２、本考案のサイズを簡単に識別可能な多機能ソケットの第１実施例による立体外観図を参照する。本考案のソケット１０の一端に稼働部２０を設け、稼働部２０の異なる他端に識別に供えるねじり部３０を設ける。
【００２７】
引き続き図３ないし６、本考案のサイズを簡単に識別可能な多機能ソケットの第１実施例による前面図と、右側面図と、断面構造図を参照する。稼働部２０はソケット１０の回転軸Ｌの軸方向に沿って多角穴２１を凹設し、多角穴２１は６角穴状、１２角穴状または６角星型を形成する。本実施例において、多角穴２１は６角星型を実施する。稼働部２０はソケット１０の回転軸Ｌの径方向に沿って、多角穴２１と異なる一側の外周縁に外面２２を設け、外面２２は円柱状を形成する。
【００２８】
識別に供えるねじり部３０はソケット１０の回転軸Ｌの軸方向に沿って内側ねじり位置３１を凹設し、該内側ねじり位置３１が四角穴状を形成し、内側ねじり位置３１の内面に少なくとも一つの取付溝３１１を設け、取付溝３１１は丸形を形成する。識別に供えるねじり部３０はソケット１０の回転軸Ｌの横方向に沿って、外周縁に外側ねじり位置３２を設け、外側ねじり位置３２には６つの係止平面３２１を有し、６つの係止平面３２１がソケット１０の円周方向に沿って互いに並列していて、回転軸Ｌを軸心として識別に供えるねじり部３０を巡らすことによって、識別に供えるねじり部３０が六角棒状を形成し、内側ねじり位置３１のうち一つの内壁面と６つの係止平面３２１のうち一つの係止平面３２１と互いに平行している。外側ねじり位置３２は６つの係止平面３２１のうち２つの隣接する係止平面３２１の境を接する場所にコーナー部３２２を設け、コーナー部３２２が丸み状を形成する。
【００２９】
識別に供えるねじり部３０は６つの係止平面３２１のうち２つの隣接する係止平面３２１の間にそれぞれ係止溝３３を凹設し、係止溝３３をコーナー部３２２に形成する。本実施例において、係止溝３３はＶ形溝状を形成していて、かつソケット１０の円周方向に沿って延在している。
【００３０】
識別に供えるねじり部３０は６つの係止平面３２１のうち３つの互いに隣接されない係止平面３２１にてそれぞれ第１サイズ表示３４を凹設し、本実施例において、第１サイズ表示３４は多角穴２１のサイズ表示を実施する。第１サイズ表示３４が数字であり、かつソケット１０の円周方向に沿って横書き方式に配列されている。
【００３１】
引き続き図７と８、本考案のサイズを簡単に識別可能な多機能ソケットの第１実施例をソケット引き棒につないで使用する態様図と、ラチェットレンチにつないで使用する態様図を参照する。ソケット１０をソケット引き棒９０につなぐときは、ソケット引き棒９０のコネクタ９１を内側ねじり位置３１に挿入して置く。これにより、ソケット引き棒９０を用いてソケット１０を駆動し回動させ、コネクタ９１の鋼球９２を取付溝３１１に挿入することによって、ソケット１０の抜けだしを防げる。ソケット１０をラチェットレンチ９３につなぐときは、ソケット１０の識別に供えるねじり部３０をラチェットレンチ９３の爪車９４に挿入することによって、６つの係止平面３２１と爪車９４の内面を接触させ、ラチェットレンチ９３を用いてソケット１０を駆動し回転させ、係止溝３３はラチェットレンチ９３内部の締め金具９５の係止固定に提供し、ソケット１０がラチェットレンチ９３より抜け出すことを防げる。
【００３２】
第１サイズ表示３４をソケット１０の平面に設けられているため、第１サイズ表示３４は加工簡単の長所を有すると共に、ソケット１０の第１サイズ表示３４の反射により識別困難を避けられ、目を引く効果により、使用者が第１サイズ表示３４をはっきりに識別することができる。さらに、第１サイズ表示３４の数は３つを有し、３つの第１サイズ表示３４は回転軸Ｌにつなぐ仮想接続線との間に１２０度の夾角を形成されているため、いずれの視角においても、ソケット１０を回す必要はなく、第１サイズ表示３４で表示された数値をはっきり視認でき、使用者が素早くに識別して、ふさわしいソケット１０の選択及び作業することができる。
【００３３】
ソケット１０の識別に供えるねじり部３０から高速識別の機能を提供しており、様々なタイプのレンチやソケット引き棒９０と、ラチェットレンチ９３につなぐ機能を備えているほかに、係止溝３３によって抜け出し防止効果を達成し、ソケット１０が多機能ソケット工具を形成し、識別簡単と幅広い応用範囲の長所を有する。
【実施例２】
【００３４】
図９と１０、本考案のサイズを簡単に識別可能な多機能ソケットの第２実施例による前面図を参照する。本考案の第２実施例は第１実施例とほぼ同じ、主な異なる点はソケット１０ａの識別に供えるねじり部３０ａが６つの係止平面３２１ａに第１サイズ表示３４ａを表示されない３つの係止平面３２１ａのうち少なくともそのうち一つの係止平面３２１ａに第２サイズ表示３５ａを凹設し、第２サイズ表示３５ａは例えばサイズ表示、商標または図案であっても良い。本実施例において、第２サイズ表示３５ａは第１サイズ表示３４ａに同じ、６つの係止平面３２１ａのうち一つの係止平面３２１ａのみに第２サイズ表示３５ａを備えている。
【００３５】
識別に供えるねじり部３０ａは６つの係止平面３２１ａのうち第１サイズ表示３４ａまたは第２サイズ表示３５ａを表示されない少なくともそのうち一つの係止平面３２１ａに補助表示部３６ａを凹設しており、本実施例において、補助表示部３６ａは商標または図案を実施する。補助表示部３６ａを回転軸Ｌの軸方向に沿って横書き方式に配列し、６つの係止平面３２１ａのうち２つの係止平面３２１ａが補助表示部３６ａを有する。
【００３６】
第２サイズ表示３５ａと補助表示部３６ａの数または表示の種類はそれぞれ需要に応じて配置することができる。本実施例に示すものはそのうち一つの実施態様に過ぎず、第２実施例他の構造は第１実施例に同じため、ここでの説明を省略する。
【００３７】
引き続き図１１、本考案のサイズを簡単に識別可能な多機能ソケット組合せによる立体外観図である。ソケット組４０はソケット１０と、ソケット１０ｂと、ソケット１０ｃと、を含む。ソケット１０ｂとソケット１０ｃがソケット１０とほぼ同じであり、ソケット１０の６つの係止平面３２１のうち互いに相反する２つの係止平面３２１との間の距離と、ソケット１０ｂの６つの係止平面３２１ｂのうち互いに相反する２つの係止平面３２１ｂとの間の距離と、ソケット１０ｃの６つの係止平面３２１ｃのうち互いに相反する２つの係止平面３２１ｃとの間の距離が互いに等しい。主な異なる点は、ソケット１０の第１サイズ表示３４と、ソケット１０ｂの第１サイズ表示３４ｂと、ソケット１０ｃの第１サイズ表示３４ｃにてそれぞれ異なるサイズを表示され、ソケット１０の第１サイズ表示３４に表示するサイズは８ミリメートル、ソケット１０ｂの第１サイズ表示３４ｂに表示するサイズは４ミリメートル、ソケット１０ｃの第１サイズ表示３４ｃに表示するサイズは１３ミリメートル、ソケット１０外面２２の外径がソケット１０ｂ外面２２ｂの外径と、ソケット１０ｂ外面２２ｂの外径は互いに異なる。
【符号の説明】
【００３８】
１０        ソケット
２０        稼働部
２１        多角穴
２２        外面
３０        ねじり部
３１        内側ねじり位置
３１１      取付溝
３２        内側ねじり位置
３２１      係止平面
３２２      コーナー部
３３        係止溝
３４        第１サイズ表示
１０ａ      ソケット
３０ａ      ねじり部
３２ａ      係止平面
３４ａ      第１サイズ表示
３５ａ      第２サイズ表示
３６ａ      補助表示部
１０ｂ      ソケット
２２ｂ      外面
３２１ｂ    係止平面
３４ｂ      第１サイズ表示
１０ｃ      ソケット
２２ｃ      外面
３２１ｃ      係止平面
３４ｃ      第１サイズ表示
４０        ソケット組
９０        ソケット引き棒
９１        コネクタ
９２        鋼球
９３        ラチェットレンチ
９４        爪車
９５        締め金具
Ｌ          回転軸
【図２】
0003200007.tif 000003
【図７】
0003200007.tif 000004
【図８】
0003200007.tif 000005
【図９】
0003200007.tif 000006
【図１０】
0003200007.tif 000007
【図１１】
0003200007.tif 000008
【図１】
0003200007.tif 000009
【図３】
0003200007.tif 000010
【図４】
0003200007.tif 000011
【図５】
0003200007.tif 000012
【図６】
0003200007.tif 000013
【手続補正書】
【提出日】平成27年7月29日(2015.7.29)
【手続補正１】
【補正対象書類名】実用新案登録請求の範囲
【補正対象項目名】全文
【補正方法】変更
【補正の内容】
【実用新案登録請求の範囲】
【請求項１】
サイズを簡単に識別可能な多機能ソケットであって、
前記ソケットの回転軸方向に沿って多角穴を凹設する稼働部と、
前記ソケットが稼働部と異なる一端に設ける識別に供えるねじり部と、を含む、前記識別に供えるねじり部は前記ソケット回転軸方向に沿って内側ねじり位置を凹設、前記識別に供えるねじり部は前記ソケット回転軸の横方向に沿って外周縁に外側ねじり位置を設け、前記外側ねじり位置に６つの係止平面を有し、前記６つの係止平面が前記ソケットの円周方向に沿って並列していて、前記回転軸を軸心として前記識別に供えるねじり部を巡らしており、前記識別に供えるねじり部が六角棒状を形成し、前記識別に供えるねじり部は前記６つの係止平面のうち３つの互いに隣接されない前記係止平面にそれぞれ第１サイズ表示を凹設し、前記第１サイズ表示は前記多角穴のサイズ表示であることを特徴とする、サイズを簡単に識別可能な多機能ソケット。
【請求項２】
前記識別に供えるねじり部は前記６つの係止平面のうち、前記第１サイズ表示を表示されない前記３つの係止平面のうち少なくともそのうち前記一つの係止平面に補助表示部を凹設し、前記補助表示部は商標または図案であることを特徴とする、請求項１記載のサイズを簡単に識別可能な多機能ソケット。
【請求項３】
そのうち、前記第１サイズ表示は数字であり、前記ソケットの円周方向に沿って横書き方式に配列し、前記補助表示部は前記回転軸方向に沿って横書き方式に配列することを特徴とする、請求項２記載のサイズを簡単に識別可能な多機能ソケット。
【請求項４】
前記識別に供えるねじり部は前記６つの係止平面のうち、前記第１サイズ表示を表示されない前記３つの係止平面のうち少なくともそのうち前記一つの係止平面に第２サイズ表示を凹設し、前記第２サイズ表示が前記第１サイズ表示に同じであることを特徴とする、請求項２記載のサイズを簡単に識別可能な多機能ソケット。
【請求項５】
そのうち、前記第１サイズ表示は数字であり、前記ソケットの円周方向に沿って横書き方式に配列し、前記識別に供えるねじり部は前記６つの係止平面のうち前記第１サイズ表示または前記第２サイズ表示を表示されない少なくともそのうち前記一つの係止平面に前記補助表示部を凹設し、前記補助表示部は商標または図案であり、前記補助表示部は回転軸方向に沿って横書き方式に配列することを特徴とする、請求項４記載のサイズを簡単に識別可能な多機能ソケット。
【請求項６】
そのうち、前記６つの係止平面のうち前記一つのみの係止平面に前記第２サイズ表示を有し、前記６つの係止平面のうち前記２つの係止平面に前記補助表示部を有することを特徴とする、請求項５記載のサイズを簡単に識別可能な多機能ソケット。
【請求項７】
そのうち、前記識別に供えるねじり部は前記６つの係止平面のうち２つの隣接する前記係止平面の間にそれぞれ係止溝を凹設し、前記係止溝は前記ソケットの円周方向に沿って延在することを特徴とする、請求項１ないし６のいずれかに記載のサイズを簡単に識別可能な多機能ソケット。
【請求項８】
そのうち、前記多角穴は６角穴状、１２角穴状または６角星型を形成し、前記係止溝はＶ形溝状を形成することを特徴とする、請求項７記載のサイズを簡単に識別可能な多機能ソケット。
【請求項９】
外側ねじり位置は、前記６つの係止平面のうち２つの隣接する係止平面の境を接する場所にコーナー部を設け、前記コーナー部は丸み状を形成し、前記係止溝を前記コーナー部に形成することを特徴とする、請求項７記載のサイズを簡単に識別可能な多機能ソケット。
【請求項１０】
そのうち、前記内側ねじり位置のうち一つの内壁面は、前記６つの係止平面のうち前記一つの係止平面と互いに平行することを特徴とする、請求項１ないし６のいずれかに記載のサイズを簡単に識別可能な多機能ソケット。
【請求項１１】
前記内側ねじり位置は四角穴状を形成し、前記内側ねじり位置の内面に少なくとも一つの取付溝を設け、前記取付溝は丸形を形成し、前記ソケットが前記ソケット引き棒につないでいるときは、前記ソケット引き棒のコネクタが前記内側ねじり位置に挿入し、前記コネクタの鋼球を前記取付溝に挿入し、前記ソケットがラチェットレンチにつないでいるとき、前記ソケットの前記識別に供えるねじり部を前記ラチェットレンチの爪車に挿入し、前記６つの係止平面と前記爪車の内面が接触し、前記係止溝は前記ラチェットレンチ内部の締め金具に係止固定を提供することを特徴とする、請求項７記載のサイズを簡単に識別可能な多機能ソケット。
【請求項１２】
サイズを簡単に識別可能な多機能ソケット組合せであって、
３つのソケットを含む、前記ソケットは、稼働部と、識別に供えるねじり部を含む、前記稼働部が前記ソケットの回転軸方向に沿って多角穴を凹設し、前記識別に供えるねじり部が前記ソケット回転軸方向に沿って内側ねじり位置を凹設し、前記識別に供えるねじり部が前記ソケット回転軸の横方向に沿って外周縁に６つの係止平面を設け、前記６つの係止平面が前記ソケットの円周方向に沿って並列していて、前記回転軸を軸心として前記識別に供えるねじり部に巡らせることによって、前記識別に供えるねじり部が六角棒状を形成し、前記識別に供えるねじり部が前記６つの係止平面のうち２つの隣接する係止平面の間にそれぞれ係止溝を凹設し、前記係止溝がＶ形溝状を形成していて、かつ前記ソケットの円周方向に沿って延在し、前記識別に供えるねじり部は前記６つの係止平面のうち３つの互いに隣接されない前記係止平面にそれぞれ第１サイズ表示を凹設し、前記第１サイズ表示にて前記多角穴のサイズを表示し、前記３つのソケットの前記第１サイズ表示にてそれぞれ異なるサイズを表示することを特徴とする、サイズを簡単に識別可能な多機能ソケット組合せ。
【請求項１３】
前記稼働部は前記ソケットの回転軸の径方向が多角穴と異なる一側に沿って、外周縁に外面を設け、前記外面は円柱状を形成し、前記３つのソケットの前記外面の外径は互いに異なっており、前記３つのソケットはそれぞれ前記６つの係止平面のうち互いに相反する前記２つの係止平面の間の距離が互いに等しいすることを特徴とする、請求項１２記載のサイズを簡単に識別可能な多機能ソケット組合せ。